(57)【特許請求の範囲】
【請求項１】
プラットホームの線路端に沿って可動式ホームゲート装置を設置するための基礎構造部材であって、
可動式ホームゲート装置の荷重を受ける台座部と、該台座部に支えられた状態で前記可動式ホームゲート装置から導出される配線を、プラットホームの床板の下方へと誘導する配線案内部とを含み、
該配線案内部は、前記配線を、前記可動式ホームゲート装置の前記配線の導出部から平面視でオフセットした位置へと案内した後、プラットホームの床板の下方へと誘導するための、折れ曲がった配線案内路を構成するものであることを特徴とする基礎構造部材。
【請求項２】
前記配線案内部は、前記可動式ホームゲート装置の載置面を有すると共に前記配線を水平方向へと案内する水平方向案内部と、該水平方向案内部に形成された配線の受け入れ口に対し平面視でオフセットした位置に設けられた、垂直方向案内部とを備えることを特徴とする請求項１記載の基礎構造部材。
【請求項３】
前記水平方向案内部は、少なくとも可動式ホームゲート装置のベースプレートを載置可能な面積の載置面を有する箱状をなし、前記垂直方向案内部は、少なくとも前記配線を挿通可能な直径を有する管状をなし、前記水平方向案内部に対して側面視でＬ字状に配置されていることを特徴とする請求項２記載の基礎構造部材。
【請求項４】
前記水平方向案内部は、少なくとも可動式ホームゲート装置のベースプレートを載置可能な面積の載置面を有する箱状をなし、前記垂直方向案内部は、前記水平方向案内部の下面に形成された、少なくとも前記配線を挿通可能な直径を有する開口であることを特徴とする請求項２記載の基礎構造部材。
【請求項５】
前記水平方向案内部には、前記配線の受け入れ口から、前記垂直方向案内部へ向けて配線を案内するための、ガイド部材が設けられていることを特徴とする請求項３又は４記載の基礎構造部材。
【請求項６】
前記垂直方向案内部は、前記可動式ホームゲート装置よりもプラットホームの線路端に近い位置となるように位置決めされて、前記台座部が前記プラットホームに設置されることを特徴とする請求項２から５のいずれか１項記載の基礎構造部材。
【請求項７】
プラットホーム上の線路端に沿って設置される可動式ホームゲート装置の基礎構造であって、
プラットホームの線路端に沿ってプラットホーム上面から複数形成される凹部と、
該凹部の底面から、前記プラットホームの床部をその下方より支持する構造物を避ける位置にてプラットホームの床板の下面へ穿孔される貫通穴と、
該貫通穴に前記配線案内部を一致させた状態で前記凹部内に設置される、請求項１から６のいずれか１項記載の基礎構造部材と、を含むことを特徴とする可動式ホームゲート装置の基礎構造。
【発明の詳細な説明】
【技術分野】
【０００１】
本発明は、鉄道等のプラットホームに設置される、可動式ホームゲート装置の基礎構造部材とそれを用いた基礎構造に関するものである。
【背景技術】
【０００２】
近年、鉄道のプラットホームからの旅客転落事故を防ぐために、線路とホームとを隔てる可動式ホームゲート装置が普及してきている。可動式ホームゲート装置は、プラットホームの線路端に沿って柵を設け、なおかつ、鉄道車両の停止位置で側扉に面する部分を開閉可能な開口部とすることで、鉄道車両に対する旅客の乗降を可能としている。
図５には、プラットホーム１０に可動式ホームゲート装置１２を設置する構造が例示されている。図示の例では、プラットホーム１０の線路端１０ａに沿って、プラットホーム上面から一定深さの凹部１４が形成され、凹部１４の底面からプラットホーム１０の床板の下面へ貫通穴１６が穿孔されている。そして、凹部１４に、台座１８が一体化された中空パイプ２０が設置される。この台座１８には、可動式ホームゲート装置１２が載置・固定され、可動式ホームゲート装置１２から導出される配線２２は、中空パイプ２０内に挿通されることで、プラットホーム１０の床板の下方へと案内される。そして、配線２２は、プラットホーム１０の床板の下方に設置されたラック２４によって、線路と平行な方向へと引き回される。更に、配線２２は、電源及び制御装置に接続され、可動式ホームゲート装置１２の動作制御系の配線が完了するものである（例えば、特許文献１参照。）。
【先行技術文献】
【特許文献】
【０００３】
【特許文献１】特開２００１−１０６０６２号公報
【発明の概要】
【発明が解決しようとする課題】
【０００４】
ところで、図５に示される可動式ホームゲート装置の設置構造は、図示の如く、プラットホーム１０の線路端１０ａから一定幅に渡って、床板の下方に障害物が存在せず、プラットホーム１０の床板が鍔状に突出しているような場合に採用可能なものである。しかしながら、既存のプラットホームには、その床板を支えるために、プラットホーム１０の線路端１０ａに沿ってホーム鉄骨等の構造物（図１の符号２６参照）が存在する構造も多く、このような既存のプラットホームに対して、図５に示される可動式ホームゲート装置の設置構造をそのまま採用することは困難である。このような場合には、例えば、プラットホーム１０の大規模改修を施し、プラットホーム１０の線路端１０ａから一定幅の範囲の構造物を撤去するか、少なくとも、可動式ホームゲート装置の設置構造部の周辺部のみ、大幅な補強を施した上で構造部に貫通穴を設ける等の対策が必要となる。
本発明は上記課題に鑑みてなされたものであり、その目的とするところは、プラットホームの床板を支える構造の如何に関わらず、プラットホームの線路端に沿って、可動式ホームゲート装置を容易に設置することを可能とするものである。
【課題を解決するための手段】
【０００５】
（発明の態様）
以下の発明の態様は、本発明の構成を例示するものであり、本発明の多様な構成の理解を容易にするために、項別けして説明するものである。又、各項は、本発明の技術的範囲を限定するものではない。よって、発明を実施するための最良の形態を参酌しつつ、各項の構成要素の一部を置換し、削除し、又は、更に他の構成要素を付加したものについても、本願発明の技術的範囲に含まれ得るものである。
【０００６】
（１）プラットホームの線路端に沿って可動式ホームゲート装置を設置するための基礎構造部材であって、可動式ホームゲート装置の荷重を受ける台座部と、該台座部に支えられた状態で前記可動式ホームゲート装置から導出される配線を、プラットホームの床板の下方へと誘導する配線案内部とを含み、該配線案内部は、前記配線を、前記可動式ホームゲート装置の前記配線の導出部から平面視でオフセットした位置へと案内した後、プラットホームの床板の下方へと誘導するための、折れ曲がった配線案内路を構成するものである基礎構造部材（請求項１）。
本項に記載の可動式ホームゲート装置の基礎構造部材は、台座部によって可動式ホームゲート装置を支持し、可動式ホームゲート装置から導出される配線を、配線案内部によってプラットホームの床板の下方へと誘導するものである。しかも、配線案内部は、配線を、可動式ホームゲート装置の配線の導出部から平面視でオフセットした位置へと案内した後、プラットホームの床板の下方へと誘導するための、折れ曲がった配線案内路を構成するものである。よって、可動式ホームゲート装置の直下の、プラットホームの構造の如何に関わらず、配線案内部は、適切な位置にてプラットホームを貫通して、配線をプラットホームの床板の下方へと案内するものとなる。
【０００７】
（２）上記（１）項において、前記配線案内部は、前記可動式ホームゲート装置の載置面を有すると共に前記配線を水平方向へと案内する水平方向案内部と、該水平方向案内部に形成された配線の受け入れ口に対し平面視でオフセットした位置に設けられた、垂直方向案内部とを備える基礎構造部材（請求項２）。
本項に記載の基礎構造部材は、配線案内部が、可動式ホームゲート装置の載置面を有すると共に配線を水平方向へと案内する水平方向案内部と、該水平方向案内部に対して側面視でＬ字状に接続され配線を垂直方向へと案内する垂直方向案内部とを備えるものであり、垂直方向案内部が、水平方向案内部に形成された配線の受け入れ口に対し、平面視でオフセットした位置に設けられていることで、可動式ホームゲート装置の直下を通る側面視でＬ字状に折れ曲がった配線案内路を構成するものである。
【０００８】
（３）上記（２）項において、前記水平方向案内部は、少なくとも可動式ホームゲート装置のベースプレートを載置可能な面積の載置面を有する箱状をなし、前記垂直方向案内部は、少なくとも前記配線を挿通可能な直径を有する管状をなし、前記水平方向案内部に対して側面視でＬ字状に配置されている基礎構造部材（請求項３）。
本項に記載の基礎構造部材は、少なくとも可動式ホームゲート装置のベースプレートを載置可能な面積の載置面を有する箱状をなす水平方向案内部により、可動式ホームゲート装置を支持した状態で、可動式ホームゲート装置から導出される配線を、箱状の内部にて水平方向に案内するものである。そして、少なくとも配線を挿通可能な直径を有する管状をなし、水平方向案内部に対して側面視でＬ字状に配置されている垂直方向案内部に配線を挿通することにより、可動式ホームゲート装置から導出される配線を、プラットホームの床板の下方へと案内するものである。なお、水平方向案内部と垂直方向案内部とは、互いに固定されていても良く、又、単に上記位置関係に配置されたものでも良い。
【０００９】
（４）上記（２）項において、前記水平方向案内部は、少なくとも可動式ホームゲート装置のベースプレートを載置可能な面積の載置面を有する箱状をなし、前記垂直方向案内部は、前記水平方向案内部の下面に形成された、少なくとも前記配線を挿通可能な直径を有する開口である基礎構造部材（請求項４）。
本項に記載の基礎構造部材は、少なくとも可動式ホームゲート装置のベースプレートを載置可能な面積の載置面を有する箱状をなす水平方向案内部により、可動式ホームゲート装置を支持した状態で、可動式ホームゲート装置から導出される配線を、箱状の内部にて水平方向に案内するものである。そして、水平方向案内部の下面に形成された、少なくとも前記配線を挿通可能な直径を有する開口である垂直方向案内部に配線を挿通することにより、可動式ホームゲート装置から導出される配線を、プラットホームの床板の下方へと案内するものである。
【００１０】
（５）上記（３）（４）項において、前記水平方向案内部には、前記配線の受け入れ口から、前記垂直方向案内部へ向けて配線を案内するための、ガイド部材が設けられている基礎構造部材（請求項５）。
本項に記載の基礎構造部材は、配線案内部に配線を挿通する際に、水平方向案内部に設けられたガイド部材によって、水平方向案内部の受け入れ口から導入される配線を、可動式ホームゲート装置の配線の導出部から平面視でオフセットした位置にある垂直方向案内部へと円滑に案内する。そして、基礎構造部材内での、配線の取り回しを容易とするものである。
【００１１】
（６）上記（２）から（５）項において、前記垂直方向案内部は、前記可動式ホームゲート装置よりもプラットホームの線路端に近い位置となるように位置決めされて、前記台座部が前記プラットホームに設置される基礎構造部材（請求項６）。
本項に記載の基礎構造部材は、プラットホームの、可動式ホームゲート装置が設置される位置の直下の構造の如何に関わらず、ホームゲート装置よりもプラットホームの線路端に近い位置となるように位置決めされて、台座部がプラットホームに設置され、垂直方向案内部により、可動式ホームゲート装置から導出される配線を、可動式ホームゲート装置の配線の導出部から平面視でオフセットした位置から、プラットホームの床板の下方へと案内するものである。
【００１２】
（７）プラットホーム上の線路端に沿って設置される可動式ホームゲート装置の基礎構造であって、プラットホームの線路端に沿ってプラットホーム上面から複数形成される凹部と、該凹部の底面から、前記プラットホームの床部をその下方より支持する構造物を避ける位置にてプラットホームの床板の下面へ穿孔される貫通穴と、該貫通穴に前記配線案内部を一致させた状態で前記凹部内に設置される、上記（１）から（５）項記載の基礎構造部材と、を含む可動式ホームゲート装置の基礎構造（請求項７）。
本項に記載の可動式ホームゲート装置の基礎構造は、プラットホームの線路端に沿ってプラットホーム上面から凹部を複数形成し、該凹部の底面から、プラットホームの床部をその下方より支持する構造物を避ける位置にて、プラットホームの床板の下面へ穿孔される貫通穴を形成する。この貫通穴に、上記（１）から（５）項記載の基礎構造部材の配線案内部を一致させて、基礎構造部材を凹部内に設置する。このように、プラットホームを貫通するに適した位置に、貫通穴を形成することで、可動式ホームゲート装置の直下の、プラットホームの構造の如何に関わらず、可動式ホームゲート装置から導出される配線を、適切な位置にてプラットホームの床板の下方へと案内するものとなる。
【発明の効果】
【００１３】
本発明はこのように構成したので、プラットホームの床板を支える構造の如何に関わらず、プラットホームの線路端に沿って、可動式ホームゲート装置を容易に設置することが可能となる。
【図面の簡単な説明】
【００１４】
【図１】本発明の実施の形態に係る可動式ホームゲート装置とその基礎構造を示したものであり、（ａ）は、線路と直交する面におけるプラットホームとホームゲートの模式断面図、（ｂ）は（ａ）の要部拡大図、（ｃ）は（ａ）のＡ−Ａ断面図である。
【図２】図１に示される可動式ホームゲート装置の基礎構造部材の斜視図である。
【図３】図１（ｂ）（ｃ）に示される、プラットホーム上面から形成された凹部と、凹部の底面からプラットホームの床板の下面へ穿孔される貫通穴とを示す平面図である。
【図４】細部の形状が図２に示されるものと異なる基礎構造部材の三面図であり、（ａ）は平面図、（ｂ）は正面図、（ｃ）は側面図である。
【図５】従来の、線路と直交する面におけるプラットホーム、ホームゲート及びその基礎構造を示す模式断面図である。
【発明を実施するための形態】
【００１５】
以下、本発明を実施するための形態を添付図面に基づいて説明する。ここで、従来技術と同一部分、若しくは相当する部分については、同一符号で示し、詳しい説明を省略する。
本発明の実施の形態に係る可動式ホームゲート装置１２の設置構造は、図１（ａ）、（ｂ）に示されるように、線路端１０ａに沿ってホーム鉄骨等の構造物２６が存在する構造を有するプラットホーム１０に用いることが可能なものである。なお、図１（ａ）において、符号２８はレール、符号Ｃは線路の中心線である。
【００１６】
本発明の実施の形態では、プラットホーム１０に対する可動式ホームゲート装置１２の設置構造に、図２又は図４に示されるような、基礎構造部材３０が用いられている。基礎構造部材３０は、可動式ホームゲート装置１２の荷重を受ける台座部３２を備え、この台座部３２に、配線案内部３４が形成されている。配線案内部３４は、台座部３２に支えられた状態の可動式ホームゲート装置１２から導出される配線２２を、プラットホーム１０の床板の下方へと誘導するものである。しかも、配線案内部３４は、台座部３２に支えられた状態の可動式ホームゲート装置１２の、配線２２の導出部から平面視でオフセットした位置へと配線２２を案内した後、配線２２をプラットホーム１０の床板の下方へと誘導するための、側面視でＬ字状に折れ曲がった配線案内路を構成するものである（図１（ｂ）、図４（ｃ）参照）。
【００１７】
この配線案内部３４は、図４に詳しく示されるように、可動式ホームゲート装置１２の載置面３６ａを有すると共に配線２２を水平方向へと案内する水平方向案内部３６と、水平方向案内部３６に対して側面視でＬ字状に接続され（図４（ｃ）参照）、配線２２を垂直方向へと案内する垂直方向案内部３８とを備えている。そして、垂直方向案内部３８は、水平方向案内部３６に形成された配線の受け入れ口３６ｂ（図４（ａ）参照）に対し、平面視でオフセットした位置に設けられている。
【００１８】
図示の例では、水平方向案内部３６は、少なくとも可動式ホームゲート装置１２のベースプレート１２ａ（図１（ｂ））を載置可能な面積の載置面（天面）を有する箱状をなしている。一方、垂直方向案内部３８は、少なくとも配線２２（図５参照）を挿通可能な直径を有する管状をなしており、図示の例の垂直方向案内部３８は、外径４２ｍｍ、内径３５ｍｍとなっている。
又、水平方向案内部３６には、配線の受け入れ口３６ｂから、垂直方向案内部３８へ向けて配線を案内するための、ガイド部材３６ｃ、３６ｄ、３６ｅが設けられている。ここで、ガイド部材３６ｃ、３６ｄはいずれも、配線の受け入れ口３６ｂから垂直方向案内部３８へ向けて下方傾斜する板材であり、かつ、箱状の水平方向案内部３６の塞ぎ板を兼ねている。又、ガイド部材３６ｅは、垂直方向案内部３８へと向けて設置幅が狭まるように設けられた壁板である。
【００１９】
そして、垂直方向案内部３８は、図１に例示されるように、可動式ホームゲート装置１２よりもプラットホームの線路端に近い位置となるように位置決めされた状態で、台座部３２がプラットホーム１０に固定されるものである。
図１の例では、プラットホーム１０の線路端１０ａに沿って、図１（ｂ）、図３に示される凹部１４が、プラットホーム１０の上面から複数形成される。そして、凹部１４の底面１４ａから更に、プラットホーム１０の床部を下方から支持する構造物２６を避ける位置にて、プラットホーム１０の床板の下面へ穿孔される、貫通穴４０が形成される。これら凹部１４、貫通穴４０は共に、例えばホールソー等を用いて施工されるものであり、図示の例では、凹部１４は、プラットホーム１０の床板の表層部のクリーンタイル１１ａと、敷きモルタル１１ｂを除去するように形成される。又、床面１４ａの面積は、図１（ｃ）に示されるように、少なくとも基礎構造部材３０の台座部３２を設置して、かつ、凹部１４内で位置の微調整が可能な広さに設定される。なお、図示の例では、凹部１４の直径Ｄ１４は４５０ｍｍ程度（図３参照）である。一方、貫通穴４０は、基礎構造部材３０の垂直方向案内部３８を挿通可能な直径に穿設されるものである。図示の例では、貫通穴４０の直径Ｄ４０は直径５０ｍｍ程度（図３参照）である。
【００２０】
更に、凹部１４の床面１４ａには、図１（ｂ）に示されるように、基礎構造部材３０の台座部３２を固定するためのアンカーボルト４２が打設されている。そして、基礎構造部材３０は、貫通穴４０に垂直方向案内部３８を挿通した状態で、凹部１４内に挿入され、この際、台座部３２の長穴３２ａ（図４（ａ）参照）にアンカーボルト４２が挿通され、図１（ｂ）（ｃ）に示されるように、凹部１４はモルタル４４で封止される。
なお、図１（ｂ）、図２に符号４６で示される部品は、凹部１４の床面１４ａに対して基礎構造部材３０の高さを調整するための、六角穴付き止めねじである。そして、水平方向案内部３６は、プラットホーム１０の床板の表層部のクリーンタイル１１ａと同位置レベルまで、凹部１４をモルタル４４で封止した状態で、可動式ホームゲート装置１２の載置面３６ａを構成する天面が露出する高さとなるように、六角穴付き止めねじ４６により高さ調整される。図示の例では、水平方向案内部３６の配線の受け入れ口３６ｂが、水平方向案内部３６の、可動式ホームゲート装置１２の載置面３６ａを構成する天面に形成されていることから、配線２２がモルタル４４に接触し又は封止されることなく、配線案内部３４の内部にて案内されるものとなる。なお、図１（ｂ）の符号３７は、水平方向案内部３６の開口部３６ｆ（図２参照）を塞ぐ、塞ぎ板である。
【００２１】
又、図示の例では、基礎構造部材３０の垂直方向案内部３８を、可動式ホームゲート装置１２よりもプラットホーム１０の線路端１０ａに近い位置となるように位置決めして設置することにより、プラットホーム１０の床部を下方から支持する構造物２６を避けて、配線２２をプラットホーム１０の垂直方向へと案内するものである。
しかしながら、構造物２６の設置態様等に応じ、基礎構造部材３０の垂直方向案内部３８を、構造物２６を避けた可動式ホームゲート装置１２よりもプラットホーム１０の線路端１０ａから遠い位置や、線路と平行な方向にオフセットした位置となるように、設置することとしても良い。
【００２２】
さて、上記構成をなす本発明の実施の形態によれば、次のような作用効果を得ることが可能である。すなわち、可動式ホームゲート装置１２の基礎構造部材３０は、台座部３２によって可動式ホームゲート装置１２を支持し、可動式ホームゲート装置１２から導出される配線２２を、配線案内部３４によってプラットホーム１０の床板の下方へと誘導するものである。しかも、配線案内部３４は、配線２２を、可動式ホームゲート装置１２の配線２２の導出部から平面視でオフセットした位置へと案内した後、プラットホーム１０の床板の下方へと誘導するための、折れ曲がった配線案内路を構成している。よって、可動式ホームゲート装置１２の直下の、プラットホームの１０構造の如何に関わらず、配線案内部３４は、適切な位置にてプラットホーム１０を貫通して、配線２２をプラットホーム１０の床板の下方へと案内することが可能となる。
【００２３】
又、配線案内部３４が、可動式ホームゲート装置１２の載置面３６ａを有すると共に配線２２を水平方向へと案内する水平方向案内部３６と、水平方向案内部３６に対して側面視でＬ字状に接続され配線２２を垂直方向へと案内する垂直方向案内部３８とを備えるものである。そして、垂直方向案内部３８が、水平方向案内部３６に形成された配線の受け入れ口３６ｂに対し、平面視でオフセットした位置に設けられていることで、可動式ホームゲート装置１２の直下を通る、側面視でＬ字状に折れ曲がった配線案内路を構成するものとなる。
【００２４】
又、少なくとも可動式ホームゲート装置１２のベースプレート１２ａ（図１（ｂ）参照）を載置可能な面積の載置面３６ａを有する箱状をなす水平方向案内部３６により、可動式ホームゲート装置１２を支持した状態で、可動式ホームゲート装置１２から導出される配線２２を、箱状の内部にて水平方向に案内するものである。そして、少なくとも配線２２を挿通可能な直径を有する管状をなしている垂直方向案内部３８に、配線２２を挿通することにより、可動式ホームゲート装置１２から導出される配線２２を、プラットホーム１０の床板の下方へと案内することが可能となる。
【００２５】
又、配線案内部３４に配線２２を挿通する際にも、図４に示されるように、水平方向案内部３６に設けられたガイド部材３６ｃ、３６ｄ、３６ｅによって、水平方向案内部３６の受け入れ口３６ｂから導入される配線２２を、可動式ホームゲート装置１２の配線２２の導出部から平面視でオフセットした位置にある垂直方向案内部３８へと円滑に案内することが可能となる。従って、基礎構造部材３０内での、配線２２の取り回しを容易に行うことが可能となる。なお、これらガイド部材３６ｃ、３６ｄ、３６ｅの設置態様はあくまでも一例であり、配線２２の案内機能を発揮するものであれば別態様のものを用いることとしても良い。
【００２６】
この、基礎構造部材３０は、プラットホーム１０の、可動式ホームゲート装置１２が設置される位置の直下の構造の如何に関わらず、ホームゲート装置１２よりもプラットホーム１０の線路端１０ａに近い位置となるように位置決めされて、台座部３２がプラットホーム１０に設置される。そして、垂直方向案内部３８により、可動式ホームゲート装置１２から導出される配線２２を、可動式ホームゲート装置１２の配線２２の導出部から平面視でオフセットした位置から、プラットホーム１０の床板の下方へと案内することが可能となる。
【００２７】
又、基礎構造部材３０の設置の際に、プラットホーム１０の線路端１０ａに沿ってプラットホーム１０の上面から凹部１４を複数形成し、凹部１４の底面１４ａから、プラットホーム１０の床部を下方から支持する構造物２６を避ける位置にてプラットホーム１０の床板の下面へ穿孔される貫通穴４０を形成する。そして、貫通穴４０に、基礎構造部材３０の配線案内部３４を挿通して、基礎構造部材３０を凹部１４内に設置するものである。この際、プラットホーム１０を貫通するに適した位置に、貫通穴４０を形成することで、可動式ホームゲート装置１２の直下の、プラットホーム１０の構造の如何に関わらず、可動式ホームゲート装置１２から導出される配線２２を、基礎構造部材３０の配線案内部３４を介して、プラットホーム１０の床板の下方へと案内することが可能となる。
【００２８】
なお、水平方向案内部３６と垂直方向案内部３８とは、互いに固定されていても良く、又、単に上記位置関係に配置されたものでも良い。例えば、水平方向案内部３６と垂直方向案内部３８とが何れも金属製である場合には、互いに溶接等によって固定されることで、現場における施工作業が簡単になる。一方、水平方向案内部３６のみ金属製とし、垂直方向案内部３８に例えば塩化ビニールパイプを用いるような場合には、貫通穴４０を形成した後に、貫通穴４０に垂直方向案内部３８を打ち込み、その後、水平方向案内部３６を設置することで、両者を固定することなしに、上記配置とすることも可能である。
【００２９】
更には、図示を省略するが、管状の垂直方向案内部３８を省略し、水平方向案内部３６の下面に形成された、少なくとも配線２２を挿通可能な直径を有する開口のみとして、この開口を貫通穴４０に一致させて配置することとしても良い。すなわち、垂直方向案内部３８を、単に水平方向案内部３６の下面に形成された開口とすることでも、同様の配線案内部を構成することが可能となることは、理解されるであろう。
【符号の説明】
【００３０】
１０：プラットホーム、１０ａ：線路端、１２：可動式ホームゲート装置、１４：凹部、
１４ａ：床面、４０：貫通穴、２０：中空パイプ、２２：配線、２６：構造物、３０：基礎構造部材、３２：台座部、３４：配線案内部、３６：水平方向案内部、３６ａ：載置面、３６ｂ：受け入れ口、３８：垂直方向案内部、４０：貫通穴
【図２】
0005797048.tif 000002
【図３】
0005797048.tif 000003
【図４】
0005797048.tif 000004
【図５】
0005797048.tif 000005
【図１】
0005797048.tif 000006